(57)【要約】【課題】舌状可動片が入賞可能位置から入賞拒否位置へ移動を開始した時点から、遊技球の入賞を確実に回避する。【解決手段】頂点３００Ａは、舌状可動片３００が第１の位置に位置決めされたとき、遊技球ＰＢの中心が遊技盤１９から最も離れた位置となったときよりも、さらに遊技盤１９から離れた位置となるようにした。このため、舌状可動片３００が第１の位置にあるときは、落下してくる遊技球ＰＢのほとんどを入賞開口端部３０２へ受け入れることができる。一方、舌状可動片３００がこの第１の位置から第２の位置へ移動を開始した直後は、頂点３００Ａは、遊技球ＰＢの中心が遊技盤１９から最も離れた位置となったときよりも、遊技盤１９寄りとなる。このため、舌状可動片３００が第１の位置から移動を開始した直後から、落下してくる遊技球ＰＢのほとんどを入賞開口端部３０２へ受け入れない。【選択図】図９
2010284362.tif 000002
【特許請求の範囲】
【請求項１】
遊技球が遊技盤の表面に沿って、釘及び風車を含む障害物に当接しながら落下する領域に設けられ、入賞することで遊技の進行に変化をもたらす役物装置であって、
入賞開口端部が前記遊技盤の表面から突出しないように、前記遊技盤の貫通孔に収容され入賞した遊技球の案内路を形成する入賞案内部材と、
この入賞案内部材における前記入賞開口端部近傍に設けられ、少なくとも、前記遊技盤の表面から突出する第１の位置及び前記遊技盤の表面から突出しない第２の位置に移動可能な第１の可動体と、
前記第１の可動体を前記第１の位置又は第２の位置へ選択的に移動させる第１の可動体移動手段と、
前記入賞案内部材の入賞開口端部前を通過する遊技球に対して、前記遊技盤の厚み方向の移動量を制限するカバー部材とを有し、
前記第１の可動体は、前記遊技盤の表面に沿って落下してくる遊技球を受け取る受け面を備え、該受け面はその一部に頂点が形成された山型形状とされ、前記遊技盤の表面を起点として、前記第１の可動体を第１の位置に位置決めしたときの前記頂点までの距離が、前記カバー部材で制限された状態で最も離れた位置となる遊技球の中心までの距離よりも長くなるように、前記第１の可動体の突出量が定められることを特徴とする役物装置。
【請求項２】
前記第１の可動体よりも前記遊技球の自重落下方向上方に設けられ、少なくとも、前記舌状可動片上の遊技球を排除可能な第３の位置及び前記舌状可動片上の遊技球を排除しない第４の位置に移動可能な第２の可動体と、
前記第２の可動体を前記第３の位置又は第４の位置へ選択的に移動させる第２の可動体移動手段と、
をさらに有することを特徴とする請求項１記載の役物装置。
【請求項３】
前記請求項１又は請求項２記載の役物装置を用いた遊技機であって、
前記第１の可動体移動手段を制御して前記第１の可動体を前記第１の位置から前記第２の位置へ移動を開始するときに先だって、前記第２の可動体移動手段を制御して前記第２の可動体を前記第４の位置から前記第３の位置へ移動させる入賞拒否制御手段と、
前記第２の可動体移動手段を制御して前記第２の可動体を前記第３の位置から前記第４の位置へ移動を開始するときに先だって、前記第１の可動体移動手段を制御して前記第１の可動体を前記第２の位置から前記第１の位置へ移動させる入賞許可制御手段と、
を有する遊技機。
【発明の詳細な説明】
【技術分野】
【０００１】
本発明は、遊技球が遊技盤の表面に沿って、釘及び風車を含む障害物に当接しながら落下する領域に設けられ、入賞することで遊技の進行に変化をもたらす役物装置、及びこの役物装置の可動部を制御して遊技を進行させる遊技機に関する。
【背景技術】
【０００２】
従来、遊技機、特にパチンコ機において、始動入賞口に遊技球が入賞すると、制御上、内部的に抽選が実行され、役物内に設けた画像表示装置（ＬＥＤやＬＣＤ等）による図柄変動パターン演出によって抽選結果を報知し、当該抽選による当選が報知された場合には、通常遊技状態では常に閉止状態の特別入賞口（「大入賞口」や「アタッカー」等と称する場合がある）を開放し、遊技者に有利な遊技状態（以下、「特別遊技状態」という）を付与することがなされている。
【０００３】
また、一方で、役物中央部に羽根部材を設け、始動入賞口に遊技球が入賞する等の所定の条件が成立して羽根部材が開放することで、遊技球を役物内に受け入れ、当該受け入れた遊技球を、役物内に設けた特定の入賞口に向けて案内し、その特定の入賞口に入賞した時には、上記と同様な特別遊技状態とすることがなされている。
【０００４】
このように、遊技盤は、遊技球が始動入賞口等の所定の入賞口に入賞することで、遊技状態に大きな変化（遊技者に有利な状態に変化）が生ずる。
【０００５】
このような入賞口には、所謂普通電動役物と称され、入賞の度合いを変化させる可動部材が取り付けられる場合がある。
【０００６】
可動部材としては、電動チューリップタイプ（遊技盤の横方向に移動(開閉)するタイプ）が一般的である。この電動チューリップのように横に開閉部材である羽根（花びら）が開くタイプでは、不用意に遊技球が入り易く、設計から逸脱した入賞があり得る。
【０００７】
一方、特許文献１には、可動部材として舌状可動片タイプ（遊技盤の奥行き方向に移動するタイプ）が開示されている。この舌状可動片タイプのように遊技盤から出没する構造は、前記電動チューリップタイプよりも、予期せぬ入賞は少ないため、設計通りの遊技の進行が厳格な場合に有効である。
【先行技術文献】
【特許文献】
【０００８】
【特許文献１】特開２００７−３１２９５６公報
【発明の概要】
【発明が解決しようとする課題】
【０００９】
しかしながら、舌状可動片タイプの普通電動役物装置を適用する場合、実質的に入賞を可能にする位置と入賞を拒否する位置の２位置がある。入賞拒否期間は、舌状可動片が入賞可能位置（遊技盤の表面から突出した位置）から入賞拒否位置（遊技盤の表面から引き込まれた位置）へ移動を開始するときから始まっているため、この移動中にパチンコ球が吸い込まれる可能性があり、電動チューリップと同様に設計から逸脱した入賞の可能性があり、遊技店に不測の損害を与えてしまうことがある。
【００１０】
本発明は上記事実を考慮し、舌状可動片が入賞可能位置から入賞拒否位置へ移動を開始した時点で、遊技球の入賞を可及的に回避することができる役物装置及び遊技機を得ることが目的である。
【課題を解決するための手段】
【００１１】
第１の発明は、遊技球が遊技盤の表面に沿って、釘及び風車を含む障害物に当接しながら落下する領域に設けられ、入賞することで遊技の進行に変化をもたらす役物装置であって、入賞開口端部が前記遊技盤の表面から突出しないように、前記遊技盤の貫通孔に収容され入賞した遊技球の案内路を形成する入賞案内部材と、この入賞案内部材における前記入賞開口端部近傍に設けられ、少なくとも、前記遊技盤の表面から突出する第１の位置及び前記遊技盤の表面から突出しない第２の位置に移動可能な第１の可動体と、前記第１の可動体を前記第１の位置又は第２の位置へ選択的に移動させる第１の可動体移動手段と、前記入賞案内部材の入賞開口端部前を通過する遊技球に対して、前記遊技盤の厚み方向の移動量を制限するカバー部材とを有し、
前記第１の可動体は、前記遊技盤の表面に沿って落下してくる遊技球を受け取る受け面を備え、該受け面はその一部に頂点が形成された山型形状とされ、前記遊技盤の表面を起点として、前記第１の可動体を第１の位置に位置決めしたときの前記頂点までの距離が、前記カバー部材で制限された状態で最も離れた位置となる遊技球の中心までの距離よりも長くなるように、前記第１の可動体の突出量が定められることを特徴としている。
【００１２】
第１の発明によれば、遊技球は遊技盤の表面に沿って落下してくるが、例えば、遊技盤表面に対向して透明ガラス板が存在すると、遊技盤表面から透明ガラス板までの間隔寸法分、遊技球は遊技盤表面から離れることが可能である。
【００１３】
しかし、本発明の役物装置では、カバー部材が設けられ、入賞開口端部前を通過するときの遊技球は、遊技盤から離れる量がこのカバー部材によって制限される。
【００１４】
また、前記遊技盤の表面を起点として、前記第１の可動体を第１の位置に位置決めしたときの前記頂点までの距離が、前記カバー部材で遊技球との距離が制限された状態で最も離れた位置となる遊技球の中心までの距離よりも長くなるように、前記第１の可動体の突出量が定められている（以下、「距離のバランス」という）。
【００１５】
このため、第１の可動体が第１の位置に位置決めされたとき、遊技球は頂点からの傾斜に案内され、入賞開口端部へ移動し、入賞する。
【００１６】
一方、第１の可動体が第１の位置から第２の位置へ移動し始めると、前記距離のバランスが逆転する。このため、移動し始め直後から、遊技球は入賞開口端部へは案内されなくなり（非入賞）、遊技盤表面に沿って落下していく。言い換えれば、遊技球の入賞を阻止するべく、第１の可動体を第１の位置から第２の位置へ移動しようと駆動を開始した時点に対して、遅滞なく遊技球の入賞を回避することができる。従って、設計者の意図したとおりの遊技球の案内を実現することができる。
【００１７】
本発明において、前記第１の可動体よりも前記遊技球の自重落下方向上方に設けられ、少なくとも、前記舌状可動片上の遊技球を排除可能な第３の位置及び前記舌状可動片上の遊技球を排除しない第４の位置に移動可能な第２の可動体と、前記第２の可動体を前記第３の位置又は第４の位置へ選択的に移動させる第２の可動体移動手段と、をさらに有することを特徴としている。
【００１８】
第２の可動体が突出すると、その上から落下してくる遊技球は、遊技盤表面から離れる方向に跳ねることになり、例えば、第１の可動体が第１の位置にあるとき、遊技球の中心が第１の可動体の頂点よりも遊技盤の表面から離れる側となり易くなる。すなわち、第２の可動体は、第１の可動体による遊技球の入賞開口端部への案内（入賞）、非案内（非入賞）の補助部材ということができる。
【００１９】
第２の可動体は、入賞開口面積に変化を与えるもので、第３の位置にある場合は、入賞開口面積が小さくなり、遊技球の入賞を妨害し、第４の位置にある場合は入賞開口面積を広げ、遊技球を入賞し易くすることにある。また、第２の可動体の先端突起部は、第１の可動体が第１の位置から第２の位置に移動する寸前に遊技球を第１の可動体上に載せている場合に、遊技球を非入賞とすべく、排除する役目を果たすものである。
【００２０】
第２の発明は、前記第１の発明の役物装置を用いた遊技機であって、前記第１の可動体移動手段を制御して前記第１の可動体を前記第１の位置から前記第２の位置へ移動を開始するときに先だって、前記第２の可動体移動手段を制御して前記第２の可動体を前記第４の位置から前記第３の位置へ移動させる入賞拒否制御手段と、前記第２の可動体移動手段を制御して前記第２の可動体を前記第３の位置から前記第４の位置へ移動を開始するときに先だって、前記第１の可動体移動手段を制御して前記第１の可動体を前記第２の位置から前記第１の位置へ移動させる入賞許可制御手段と、を有している。
【００２１】
第２の発明によれば、第１の可動体と第２の可動体との移動を連携することで、入賞開口端への遊技球の入賞可否状態を、駆動系のタイムラグ等による設計者の意図とする入賞率の設計等を確実性を高めることができる。
【発明の効果】
【００２２】
以上説明した如く本発明では、第１の可動体が入賞可能位置から入賞拒否位置へ移動を開始した時点から、遊技球の入賞を可及的に回避することができるという優れた効果を有する。
【図面の簡単な説明】
【００２３】
【図１】本実施の形態に係るパチンコ機の正面図である。
【図２】本実施の形態に係る遊技盤の正面図である。
【図３】本実施の形態に係るパチンコ機の制御ブロック図である。
【図４】本実施の形態に係る特図Ｂ始動入賞口の分解斜視図（パターンＡ）である。
【図５】本実施の形態に係る特図Ｂ始動入賞口を図４のパターンＡで分解した状態での側面図である。
【図６】本実施の形態に係る特図Ｂ始動入賞口の分解斜視図（パターンＢ）である。
【図７】本実施の形態に係る特図Ｂ始動入賞口を図６のパターンＢで分解した状態での側面図である。
【図８】本実施の形態に係る舌状可動片と庇部との動作を示す側面図であり、（Ａ）は舌状可動片引込（第２の位置）状態、（Ｂ）は舌状可動片移動状態、（Ｃ）は舌状可動片突出（第１の位置）状態である。
【図９】舌状可動片が第１の位置にあるとき、並びに庇部が第４の位置にあるときを示しており、（Ａ）はその平面図、（Ｂ）は遊技盤面方向を正面基準としたときの右側断面図、（Ｃ）は、図９（Ｂ)の右側断面図において、遊技球ＰＢの流動軌跡を付加したものである。
【図１０】舌状可動片が第１の位置から移動を開始した直後にあるとき、並びに庇部が第４の位置から第３の位置へ移動し始めたときを示しており、（Ａ）はその平面図、（Ｂ）は遊技盤面方向を正面基準としたときの右側断面図、（Ｃ）は、図１０（Ｂ)の右側断面図において、遊技球ＰＢの流動軌跡を付加したものである。
【図１１】舌状可動片が第２の位置にあるとき、並びに庇部が第３の位置にあるときを示しており、（Ａ）はその平面図、（Ｂ）は遊技盤面方向を正面基準としたときの右側断面図、（Ｃ）は、図１１（Ｂ)の右側断面図において、遊技球ＰＢの流動軌跡を付加したものである。
【図１２】舌状可動片が引き込んだときの本実施の形態の特図Ｂ始動入賞口であり、（Ａ）は正面図、（Ｂ)は上面図、（Ｃ)は下面図、（Ｄ)は右側面図、（Ｅ)は左側面図、（Ｆ)は斜視図である。
【図１３】舌状可動片が突出したときの本実施の形態特図Ｂ始動入賞口であり、（Ａ）は正面図、（Ｂ)は上面図、（Ｃ)は下面図、（Ｄ)は右側面図、（Ｅ)は左側面図、（Ｆ)は斜視図である。
【図１４】本実施の形態に係る舌状可動片であり、（Ａ）は正面図、（Ｂ)は上面図、（Ｃ)は下面図、（Ｄ)は右側面図、（Ｅ)は左側面図、（Ｆ)は斜視図である。
【発明を実施するための形態】
【００２４】
（パチンコ機の構成）
図１に示されるように、パチンコ機１０の前面下部には、化粧パネルとなる下飾り１２が取り付けられている。
【００２５】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００２６】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すとパチンコ機１０の左側端部が軸支された内枠（図示せず）が開放する。
【００２７】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球ＰＢを下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００２８】
上皿部２８の周縁壁部３２における図１の右端部には、球貸ボタン４２と、返却ボタン４４が設けられている。
【００２９】
また、一体皿２４の右側下部には打球の発射力（飛距離）を調整するためのグリップユニット（発射ハンドル）２６が取り付けられ、左側下部には、灰皿４６が取り付けられている。
【００３０】
一体皿２４における下皿部３０の図１の右側には受け皿スピーカ６０Ｕが配置されている。
【００３１】
ここで、一体皿２４における上皿部２８の周縁壁部３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３２】
ガラス枠１６におけるガラス板１４の周囲には、遊技の進行に応じて点灯、消灯、及び点滅するアーチ状の照明による視覚的効果や、音声等のスピーカによる聴覚的効果等の演出効果を生み出す上部演出部５２が配置されている。この上部演出部５２の下端部は、一体皿２４の周囲に略Ｕ字型に配置された下部演出部５４の上端部と連結するように配置されている。
【００３３】
この結果、上部演出部５２と下部演出部５４とで、遊技盤１８の周囲を取り囲むように、遊技機枠演出部５６が形成されている。
【００３４】
この遊技機枠演出部５６は、上部演出部５２及び下部演出部５４共に、照明部材（ＬＥＤ等）が取り付けられた基板（図示省略）と、この基板を覆うように、所定の意匠で形成されたレンズカバー５８が取り付けられている。
【００３５】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。
【００３６】
また、前記上部演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００３７】
なお、以下では、前述した受け皿スピーカ６０Ｕと、このガラス枠スピーカ６０Ｃ、６０Ｌ、６０Ｒを総称して、「スピーカ６０」という。
【００３８】
（エラー報知機能）
さらに、ガラス枠１６の上部２箇所の角部には、エラーランプとして機能する細長状の共用表示部６２が設けられている。この共用表示部６２は、視覚効果として演出に使われる場合もあるが、基本的には、遊技中に発生した遊技者の不正行為など遊技機の外部要因にからむエラーの内容を色の変化で報知するエラー報知用表示部とされ、エラー発生時には演出を中断してエラー状態を報知する。
【００３９】
遊技中に発生したエラーとは、遊技盤１８面近傍で磁力を検出した場合、遊技盤１８に振動が起きた場合、ガラス枠１６等が開放した場合、遊技中の遊技球ＰＢの不正な入賞があった場合等が挙げられる。
【００４０】
遊技盤１８面近傍の磁力は、予め遊技盤１８に取り付けられた磁気センサ６４（図２参照）によって検出する。また、遊技盤１８の振動は、予め遊技盤１８に取り付けられた振動センサ６６（図２参照）によって検出する。
【００４１】
ガラス枠１６等の開放は、予め取り付けられた開放検出センサ６８によって検出する。
【００４２】
遊技球ＰＢの不正入賞は、遊技の進行状態と、各入賞口等の近傍に設けられて遊技球ＰＢの入賞や通過を検出する入賞センサ（詳細後述）からの信号に基づいて主制御部等で判断する。このようなエラーは、パチンコ機１０の外部からの行為によってもたらされるため、以下、当該エラーの発生元を「外部からの行為」という。
【００４３】
磁気センサ６４及び振動センサ６６は、遊技盤１８において、重要部位の近傍に取り付けられるようになっており、本実施の形態では、少なくとも、図２に示される如く、後述する特図Ａ始動入賞口１０８Ａ（第一の特別図柄始動入賞口）の裏面側に取り付けられている。なお、磁気センサ６４は、この特図Ａ始動入賞口１０８Ａの近傍のみである必要はなく、その他、特図Ｂ始動入賞口１０８Ｂ（第二の特別図柄始動入賞口）や大入賞口１１０等に取り付けてもよいし、遊技盤１８の領域内で複数個配置するようにしてもよい（例えば、図２の鎖線円で囲んだ領域）。また、磁気センサ６４においては、遊技盤１８に適用されるモータやソレノイドの磁力の影響を受けない位置とする必要がある。
【００４４】
（遊技盤の構成）
図２に示される遊技盤１８は、基板となるベニヤ板に樹脂製シート状化粧材であるセルが貼着されてそのセルの表面が盤面となっており、盤面の外周端部付近に、円弧状の外レール１０２及び内レール１０４が取り付けられている。これらの外レール１０２及び内レール１０４によって囲まれた円形状の領域は、発射装置（図示省略）から発射されて打ち込まれた遊技球ＰＢが釘や役物等により弾かれながら自重落下により移動可能な遊技領域１９を構成している。
【００４５】
遊技盤１８のほぼ中央には、センター役物１０５が配置されている。センター役物１０５は、大きく分類して、当該センター役物１０５内に流入した遊技球ＰＢを案内する案内流路筐体１１１と、センター役物１０５の中央部の空間で立体的な動作を行い、かつＬＥＤで構成された表示盤１０６を備えた可動体役物１１３と、を備えている。
【００４６】
案内流路筐体１１１では、センター役物１０５の上部に設けられた羽根部材２５０が開放したときに、この羽根部材２５０の開放によってできた開口から流入する遊技球ＰＢをセンター役物１０５の図２に向かって左端を通過させ、案内流路筐体１１１の下部に配置された振分回転盤２５２まで案内する。
【００４７】
振分回転盤２５２では、外周に設けられた複数個（本実施の形態では、９個）の収容溝の何れかに遊技球ＰＢを収容し、当該収容箇所により定められたルートに従って、当たり／外れ決定領域２５４へ案内する。
【００４８】
当たり／外れ決定領域２５４には、振り子の如く、所定の角度を往復回転している特定領域案内部２５６が設けられ、この特定領域案内部２５６の収容溝に入ると、特定領域(Ｖゾーン)２５６Ａに案内され特別遊技状態(Ｖ入賞)となる構成である。
【００４９】
可動体役物１１３は、主として演出に適用されるものであり、センター役物１０５の中央部の空間内で、上下の移動、左右の傾動等が機械的動作で実行されると共に、表示盤１０６では特別図柄による抽選の結果を図柄の変動演出によって報知する。
【００５０】
表示盤１０６は、複数のＬＥＤ素子がマトリクス状に配列されて構成され、ＬＣＤとは異なる、独特の演出表示がなされるようになっている。なお、表示盤１０６はＬＥＤ素子による演出表示にかえて、ＬＣＤによる演出表示を行うようにしてもよい。
【００５１】
前記遊技領域１９におけるセンター役物１０５に向かって左側には、前述した釘や風車に混じって特図Ａ始動入賞口１０８Ａ（第一の特別図柄始動入賞口）が設けられている。
【００５２】
また、前記遊技領域１９におけるセンター役物１０５に向かって右側には、通過ゲート（スルーチャッカー）１０７が設けられている。前記通過ゲート１０７を遊技球ＰＢが通過すると、普通電動役物の開閉を抽選するための普通図柄（普図）抽選が実行される。
【００５３】
前記遊技領域１９における前記通過ゲート１０７の下方には、本発明の役物装置である特図Ｂ始動入賞口１０８Ｂ（第二の特別図柄始動入賞口、可変式始動入賞口）が設けられている。
【００５４】
特図Ａ始動入賞口１０８Ａは、所謂入賞役物装置であり、落下してくる遊技球ＰＢを受け入れる入賞開口部が上を向いている固定式始動入賞口である。
【００５５】
特図Ｂ始動入賞口１０８Ｂは、入賞役物装置の一部であるが特図Ａ始動入賞口１０８Ａとは構造が異なっている。
【００５６】
すなわち、入賞開口が前（遊技者と対向する方向）を向いており、入賞可否を決める舌状可動片３００（第１の可動体）が遊技盤面から出没する構造となっている可動式始動入賞口である。この舌状可動片３００が突出位置（第１の位置）にあるときのみ、入賞可能となっている。すなわち、この舌状可動片３００が突出したとき（第１の位置のとき）は、上方から落下する遊技球ＰＢを入賞口へ案内し（入賞）、舌状可動片が待避したとき（第２の位置のとき）は上方から落下する遊技球ＰＢを下方へ通過（スルー）させる（非入賞）。
【００５７】
以下、特図Ａ始動入賞口１０８Ａ及び特図Ｂ始動入賞口１０８Ｂを総称するときは「始動入賞口１０８」という。
【００５８】
なお、この始動入賞口１０８への遊技球ＰＢの入賞が、特別図柄（特図）の抽選を行うためのトリガ(条件)となる。
【００５９】
ここで、特図Ｂ始動入賞口１０８Ｂにおいては、当該特図Ｂ始動入賞口１０８Ｂに入賞しても特別図柄（特図）の抽選に対する演出表示を実行することができない場合（例えば、特別図柄抽選に対する演出表示の実行中等）には、最大４個まで入賞を保留（特別図柄抽選に対する抽選結果を保留記憶）することが可能となっている。なお、保留記憶球数は所定の上限値まで可能であり、４個に限定されるものではない。
【００６０】
特図Ｂ始動入賞口１０８Ｂのさらに下部には、大入賞口１１０が設けられている。また、センター役物１０５の下方には、アウト口１１２が設けられている。
【００６１】
ここで、本実施の形態では、前記特別図柄抽選で当選した場合、センター役物１０５の羽根部材２５０が開放し、当該開放期間に遊技球ＰＢがセンター役物１０５内に入り、前述のＶ入賞することを条件に、特別遊技状態（当り遊技）の処理が実行される。
【００６２】
（特図Ｂ始動入賞口１０８Ｂの詳細構造）
前述のように特図Ｂ始動入賞口１０８Ｂは、特図Ａ始動入賞口１０８Ａのように入賞開口が上を向き、常に遊技球ＰＢを受け入れる構造ではなく、入賞開口端部３０２が前面（パチンコ機１０に対峙して着座している遊技者の方向）を向いているため、通常は遊技球ＰＢは入賞することができないものとなっている。
【００６３】
一方、舌状可動片３００が突出することで、この舌状可動片３００によって落下してくる遊技球ＰＢを受け止め、前を向いた入賞開口端部３０２に案内する。
【００６４】
以下、図４〜図１１に従い、特図Ｂ始動入賞口１０８Ｂの構造を説明する。
【００６５】
特図Ｂ始動入賞口１０８Ｂは、遊技盤１９に設けられた貫通孔１９Ａ（図９参照）に収容されるベース部３０４が主体となって構成されており、その前方（遊技盤１９側）にカバー部材３０６が取り付けられ、後方に駆動ユニット３０８が取り付けられている。
【００６６】
ベース部３０４は、鍔状のフランジ部３１０が形成され、ベース部３０４が前記遊技盤１９の貫通孔１９Ａ（図９参照）に確実に収容されることで、フランジ部３１０の裏面が遊技盤１９の表面に密着する。この状態で、ベース部３０４に形成された遊技盤固定用ネジ孔３１１に、遊技盤１９の表面側からビス３１３等を螺合することで、ベース部３０４は遊技盤１９に固定される。ベース部３０４におけるフランジ部３１０の中央には、ベース部３０４の裏面側に一体形成された矩形筒状の入賞案内部３１４の入賞開口端部３０２が形成されている。
【００６７】
ベース部３０４表面側のフランジ部３１０からは、左右対称に一対の雌側突起部３１６が形成されている。雌側突起部には、円孔３１８が形成されている。
【００６８】
一方、このベース部３０４の前方には、前記カバー部材３０６が取り付けられている。カバー部材３０６は、略逆三角形状で、裏面側にベース部３０４のフランジ部３１０に向けて一対の円柱状の雄側突起部３２０（図５参照）が形成されている。
【００６９】
この一対の雄側突起部３２０のピッチ寸法と、前記一対の雌側突起部３１６のピッチ寸法とは同一であり、一対の雄側突起部３２０が一対の雌側突起部３１６の円孔３１８に挿入され、ビス３２２等で螺合されることで、カバー部材３０６は、ベース部材３０４に固定される。
【００７０】
カバー部材３０６は、前述のように略逆三角形状であるため、遊技盤１９の上から落下してくる遊技球ＰＢを受け入れ易いイメージとなっているが、実際には、前記一対の雌側突起部３１６の間は、ほぼ遊技球ＰＢが通過する程度の間隔(遊技球ＰＢの直径＋α)となるように調整されている。
【００７１】
カバー部材３０６には、その表面にシール等が貼り付けられ、自身が意匠的機能を有し、かつベース部３０４を隠蔽する役目を有している。また、カバー部材３０６の中央には、表示レンズ部３０６Ａが設けられ、通過する遊技球ＰＢの視認性を確保するために透明な窓部としての役割を有するとともに、必要に応じてベース部３０４等の入賞役物装置に取り付けられた図示しない光源の発光により遊技者に向けて視覚を通じて、情報を告知（例えば、発光することで舌状可動片３００の突出を報知）するようになっている。
さらに、表示レンズ部３０６Ａは遊技球ＰＢの通路幅を規制するためにベース部材３０４側に突出し、流下する遊技球ＰＢをベース部材３０４側に誘導する誘導部材としての役割も備えているものである。
【００７２】
また、遊技球ＰＢが落下することにより、雄側突起部３２０と雌側突起部３１６との結合部分には遊技球ＰＢの衝突にともなう部材同士の擦れが発生し、そのことにより削れが発生して視認性が悪化することがある。そこで、その削れた粉等が表示レンズ部３０６Ａに付着することを防止するため、雄側突起部３２０と雌側突起部３１６との固定に関しては、遊技球ＰＢの流下を妨げない程度の隙間Ｘが設けて、さらに視認性を確保している。
【００７３】
ここで、前記雌側突起部３１６の突出量は、遊技球ＰＢの直径＋αとされている。遊技球ＰＢの直径は一定であり（直径１１mm）、αは設計により遊技球ＰＢの直径の１０％〜２０％程度が好ましい。何れにしても、遊技球ＰＢは、この特図Ｂ始動入賞口１０８Ｂの内部（ベース部材３０４とカバー部材３０６との間）を流下するときは、他の遊技盤１９面を落下するよりも、ベース部材３０４とカバー部材３０６との間で設定された間隔によって奥行き方向の移動が制限される。
【００７４】
前記ベース部３０４の入賞案内部３１４には、第１の可動体としての舌状可動片３００と、第２の可動体としての庇部３２４とが、互いに上下関係の位置、かつ互いに平行に配置されている。
【００７５】
舌状可動片３００は入賞案内部３１４の床面に沿って配置され、庇部３２４は入賞案内部３１４の天井面にそって配置されている。また、舌状可動片３００及び庇部３２４は、それぞれ入賞案内部３１４に形成されたレール（図示省略）に案内され、遊技盤１９の厚み方向に摺動するようになっている。
【００７６】
また、この入賞案内部３１４の後端側開口には、特図Ｂ始動入賞口センサ２６４Ｂが配置され、入賞開口端部３０２から入賞した遊技球ＰＢは、この特図Ｂ始動入賞口センサ２６４Ｂの検出領域（円孔）を通過するようになっている。
【００７７】
庇部３２４の後方には、駆動ユニット３０８の一部を構成するソレノイド３２６のプランジャ３２６Ａが配置されている。プランジャ３２６Ａには、圧縮方向に作用する円錐型の圧縮コイルばね３２６Ｂが取り付けられ、ソレノイド本体３２６Ｃの非駆動時では、この圧縮コイルばね３２６Ｂの付勢力により、突出状態とされ、この結果、庇部３２４を前方向へ押し出している。なお、プランジャ３２６Ａに取り付けられるコイルばねは圧縮コイルばねに限られるものではない。
【００７８】
庇部３２４と舌状可動片３００とは、矩形枠形状のシーソー部材３２８の回転中心を境とする両端部にそれぞれ回転可能に連結されている。従って、庇部３２４が前方向(遊技盤表面側)へ押されると、舌状可動片３００がこれに反して、引き込まれる構造となっている。なお、庇部３２４の押し出し量と、舌状可動片の引き込み量とは、前記矩形枠形状のシーソー部材３２８の回転中心から両端部までの距離の比により設定される。本実施の形態では、庇部３２４の移動量を１とすると、舌状可動片片３００の移動量は２〜５程度である。
【００７９】
なお、遊技盤の表面から突出した舌状可動片３００の先端(押し出し方向)が第１の位置であり、遊技盤の表面から突出しない舌状可動片３００の先端(引き込み方向)が第２の位置である。また、庇部３２４の押し出し方向先端が第３の位置であり、引き込み方向先端が第４の位置である。
【００８０】
舌状可動片３００と庇部３２４は、前記シーソー部材によって連結された状態で、案内部カバー３３０により、入賞案内部３１４に収容された状態で保持される。案内部カバー３３０には貫通孔３３０Ａが設けられ、前記プランジャ３２６Ａが、案内部カバー３３０の裏面側に取り付けられる駆動ユニット３０８のソレノイド本体３２６Ｃの摺動貫通孔に収容されるようになっている。
【００８１】
なお、駆動ユニット３０８はソレノイド３２６を支持するブラケット３３２を備えており、このブラケット３３２は、前記案内カバー３３０の背面側にビス３３４等により取り付けられている。
【００８２】
図６（及び図１４）に示される如く、舌状可動片３００は、薄板状であり、上面は単一の頂点３００Ａから、四方に緩やかな傾斜面３００Ｂ、３００Ｃ、３００Ｄ、３００Ｅが形成されている。前方に傾斜する２つの傾斜面３００Ｂ、３００Ｃは、その稜線３００Ｆが「上に凸」とされている。
【００８３】
なお、本実施の形態で適用される舌状可動片３０では、単一の頂点３００Ａとなっているが、頂部が辺のように連続するような構造であってもよい。
【００８４】
また、頂点３００Ａから後方に傾斜する２つの傾斜面３００Ｄ、３００Ｅは、その稜線３００Ｇが「下に凸（凹形状）」とされ、傾斜面３００Ｄ、３００Ｅの法線同士が交わるようになっている。このため、頂点３００Ａから後方に傾斜する２つの傾斜面３００Ｄ、３００Ｅに遊技球ＰＢの体積の半分以上（遊技球ＰＢが、ほぼ真球であるので、この遊技球ＰＢの中心を比較対象とればよい。）が位置すると、重心が遊技盤面側に偏り、遊技球ＰＢは、入賞開口端部３０２から入賞させるように移動することになる。
【００８５】
逆に、頂点３００Ａから前方に傾斜する２つの傾斜面３００Ｂ、３００Ｃに遊技球ＰＢの体積の半分以上（遊技球ＰＢが、ほぼ真球であるので、この遊技球ＰＢの中心を比較対象とればよい。）が位置すると、重心がガラス板側に偏り、遊技球ＰＢは、入賞開口端部３０２へ入賞しないように移動することになる。
【００８６】
言い換えれば、舌状可動片３００の移動は、その頂点３００Ａの位置によって、遊技球ＰＢを入賞開口端部３０２へ入賞させるか否かを判断（設計）すればよい。
【００８７】
なお、舌状可動片３００の上面の形状は、単一の頂点による形状以外にも頂部が辺のように連続するような形状にするものでも、同等の効果を奏するものである。
【００８８】
すなわち、頂点３００Ａは最も高位であり、この頂点３００Ａから四方へ低位となる斜面が形成されるため、遊技球ＰＢはこの何れかの斜面に案内されるため、遊技盤表面を起点として、頂点３００Ａまでの距離が遊技球ＰＢの中心（重心）までの距離よりも長い場合、遊技球ＰＢは遊技盤面方向に確実に方向転換することになる。この方向は、特図Ｂ始動入賞口１０８Ｂへ入賞する方向となる。なお、この場合、遊技球ＰＢが遊技盤表面から最も離れる距離は、カバー部材３０６によって制限される。
【００８９】
本実施の形態では、舌状可動片３００が第１の位置にいるときのみ、前記頂点３００Ａが落下してくる遊技球ＰＢの中心よりも遊技盤１９の厚み方向前側に位置するようにし、舌状可動片３００の移動による特図Ｂ始動入賞口１０８Ｂの入賞率を定めている。
【００９０】
なお、遊技球ＰＢの中心位置は、前記カバー部材３０６によって制限された状態の下で、遊技盤１９から最も離れた位置（カバー部材３０６に当接している状態）を基準とする。
【００９１】
庇部３２４は、この舌状可動片３００が第１の位置にあるとき、第４の位置にあるため、遊技球ＰＢの入賞開口端部３０２への入賞に何ら影響を与えない。一方、舌状可動片３００が引き込みを開始すると、庇部３２４は第３の位置へ移動し始め、この移動直後から、庇部３２４は入賞開口端部３０２へ入賞する遊技球ＰＢの流入軌跡上に位置するため、遊技球ＰＢは入賞できない状態となる。
【００９２】
すなわち、庇部３２４は、舌状可動片３００の突出・引込動作に連動し、遊技球ＰＢの入賞の可否を補助する入賞規制部材としての役目を有することになる。
【００９３】
なお、舌状可動片３００の先端は、図１４Ｃに示すように右下がりの形状をなしているが、玉噛みを防止できる形状であれば、左下がりの形状でもよいしそれ以外の形状でもよいものである。また、図１４に示されるように傾斜面３００Ｄ、３００Ｅの後方に設けられる空間は、入賞開口端部３０２から入賞した遊技球ＰＢが舌状可動片３００及び庇部３２４の移動により入賞案内部３１４内で玉噛みが発生することを防止するために設けられるものとなっている。
（制御系の構成）
次に、図３を用いてパチンコ機１０の制御系について説明する。図３に示されるように、本実施の形態に係るパチンコ機１０の制御系は、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００９４】
主制御部１５０からは盤用外部端子１９０を介して遊技店に設置されるホールコンピュータ（図示省略）へ遊技の進行状態を示す情報（始動入賞信号や大当たり信号、図柄確定回数信号）が送信される。
【００９５】
主制御部１５０には、通過ゲート１０７（図２参照）を通過する遊技球ＰＢを検出する通過ゲートセンサ２６２、特図Ａ始動入賞口１０８Ａへの入賞球を検出する特図Ａ始動口センサ２６４Ａ、特図Ｂ始動入賞口１０８Ｂへの入賞球を検出する特図Ｂ始動口センサ２６４Ｂ、特別遊技状態の際に開放する大入賞口１１０への入賞球を検出する大入賞口センサ２６６が接続されている。
【００９６】
また、主制御部１５０には、センター役物１０５内に設けられ、遊技球ＰＢの通過を検出する検出センサ（総称して、「センサ群２６８」という）が接続されている。
【００９７】
すなわち、主制御部１５０には、羽根部材２５０の開放時にセンター役物１０５内へ流入する遊技球ＰＢを検出する受入センサ２６８、特定領域に入賞した遊技球ＰＢを検出する特定領域入賞センサ２７０、特定領域に入賞しなかった遊技球ＰＢを検出する外れセンサ２７２がそれぞれ接続されており、これらの各センサは、入賞球の検出時にその検出信号を主制御部１５０へ出力する。
【００９８】
さらに、遊技の進行に関わるものではないが、エラー検知システムに関する部材として、主制御部１５０には、磁石センサ６４、振動センサ６６及び開放検出センサ６８が接続されている。
【００９９】
また、主制御部１５０には、出力系として、特図Ｂ始動入賞口１０８Ｂに設けられた舌状可動片３００と庇部３２４を遊技盤１８面に対して出没させるための舌状可動片ソレノイド２５７（庇部３２４は舌状可動片３００の移動に連動する）、センター役物１０５に設けられた案内流路筐体１１１に用いられる第１の駆動系２５８が接続されている。
【０１００】
演出制御部１５２には、図柄制御部１５６を介して可動体役物１１３の一部を構成する表示盤１０６が接続されている。また、演出制御部１５２は、パチンコ機１０の各種遊技部品に設けられた照明演出用の発光素子１２６の点灯、消灯、及び点滅を制御し、さらに、スピーカ６０を作動させて効果音等の出力を制御する。
【０１０１】
この演出制御部１５２に制御される表示盤１０６にはドットマトリクスパターンの演出映像が表示され、スピーカ６０からはその演出時の音声やＢＧＭが出力される。これにより、遊技者は、視覚及び聴覚を通じて、遊技球の挙動にともなう演出を楽しむことができる。
【０１０２】
また、演出制御部１５２には、入力系として操作ボタン５０が接続され、出力系として可動体役物１１３に用いられる第２の駆動系２６０が接続されている。
【０１０３】
また、払出制御部１５４には、払出装置１６０及び発射制御部１６４が接続され、発射制御部１６４には発射装置４０が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置４０を作動させて、遊技球ＰＢの発射開始、及び、グリップユニット２６の操作量に応じた発射力を制御する。
【０１０４】
さらに、払出制御部１５４では、枠用外部端子１９１を介して払出情報を遊技店に設置されたホールコンピュータ（図示省略）へ送信するようになっている。
【０１０５】
以下に本実施の形態の作用を説明する。
【０１０６】
（パチンコ機１０の遊技の流れ（一例））
パチンコ機１０による遊技では、遊技者がグリップユニット２６を操作すると、一球ずつ発射装置によって上方へ発射される。発射された遊技球ＰＢは、外レール１０２に沿って遊技盤１８の遊技領域１９に打ち込まれ、遊技釘や風車に当たり方向を変えながら遊技領域１９内を落下する。そして、入賞せずに遊技領域１９の下端部に至った遊技球ＰＢはアウト口からパチンコ機１０内に回収される。
【０１０７】
また、遊技球ＰＢが遊技領域１９内に設けた入賞口に入賞したり、通過ゲートを通過すると、それぞれの遊技仕様に基づく処理（例えば、抽選等）が実行されると共に、表示盤１０６への画像表示演出、スピーカ６０を用いた音演出等が実行される。
【０１０８】
（遊技仕様の一例）
本実施の形態では、まず、遊技者はセンター役物１０５の図２の向かって左側に位置する特図Ａ始動入賞口１０８Ａを狙ってグリップユニット２６を操作し、遊技球ＰＢを発射する。
【０１０９】
なお、このとき特図Ｂ始動入賞口１０８Ｂは、通過ゲート１０７の通過によって実行される普通図柄の抽選が通常遊技状態であるため、ほとんど舌状可動片３００が突出される第一の位置になることがない状態である。
【０１１０】
特図Ａ始動入賞口１０８Ａに遊技球ＰＢが入賞すると、特図Ｂ始動入賞口１０８Ｂに入賞した場合と比較して入賞羽根部材２５０が短時間（約０．４秒／１〜２回）開放する。この開放中にセンター役物１０５内に遊技球ＰＢが流入すると、案内流路筐体１１１の案内路に案内され振分回転盤２５２（一定速度で、時計回り回転）の収容溝の何れかに収容され、図２の６時の方向、或いは、図２の３時の方向に設けられた開口から当たり／外れ決定領域２５４へ送られ、特定領域案内部２５６の収容溝に入り、特定領域(Ｖゾーン)２５６Ａに入賞（特別遊技状態：Ｖ入賞）するか否かが決まる。入賞しなければ（外れの場合は）、ここで１回の遊技の終了となり、表示盤１０６においても、外れを報知する。
【０１１１】
一方、入賞すると（当たりの場合は）、表示盤１０６で当たりが報知され、大入賞口１１０が２Ｒ開閉動作すると共に当たり遊技状態終了後には、通過ゲート１０７の通過による特図Ｂ始動入賞口１０８Ｂの舌状可動片３００の突出時間（普通図柄抽選による普通電動役物の開放延長機能実行）を延長する。この結果、特図Ｂ始動入賞口１０８Ｂへの遊技球ＰＢの入賞率が著しく高くなるため、遊技者はこの通過ゲート１０７が位置する、センター役物１０５の図２に向かって右側を狙って、グリップユニット２６を操作する。
【０１１２】
遊技球ＰＢが、通過ゲート１０７を通過し、かつ、特図Ｂ始動入賞口１０８Ｂに遊技球ＰＢが入賞すると、特別図柄抽選（当選確率１／１、開放延長機能実行状態）が実行されると共に、羽根部材２５０が特図Ａ始動入賞口１０８Ａに入賞した場合と比較して長時間（約１．６秒／１回）開放する。なお、この特図Ｂ始動入賞口１０８Ｂは、始動入賞記憶機能を持ち、最大４回分の保留記憶が可能である。
【０１１３】
上記のように比較的長時間羽根部材２５０が開放すると、遊技球ＰＢがセンター役物１０５内に流入し易くなり、特定領域への入賞もし易くなる。
【０１１４】
この特定領域への入賞を条件に、前記特別図柄抽選の当選に基づく権利を行使することができる。この権利行使は、大入賞口１１０の所定ラウンド（本実施の形態では、１５ラウンド）の開閉動作（１回の開放が３０秒、或いは最大１０個の入賞）が実行される（以下、「特別遊技処理」という）。
【０１１５】
前記特別遊技処理が終了すると、以後、所定回数（本実施の形態では、４回（第１セット時の最初の特別遊技処理は開放回数が２ラウンドとなる））の特別遊技処理が発生しやすくなる遊技状態となる（通過ゲート１０７の開放延長が継続する）。
【０１１６】
この第１セットの４回の特別遊技処理が終了すると、前記保留記憶による特別図柄抽選（当選確率１／１、開放延長機能の実行有無の振分は開放延長機能有り６０％：開放延長機能無し４０％）が実行され、再度、羽根部材２５０が比較的長時間開放し、特定領域への入賞を条件に第２セット目の特別遊技処理が実行される。この第２セット以降は、開放延長機能有りに振り分けられれば、繰り返し最大４回の特別遊技処理が実行されるが、開放延長機能が実行されない(無し)と１回の特別遊技処理後には通常遊技状態にもどるため、特図Ｂ始動入賞口１０８Ｂへの入賞が困難となり、特別遊技処理の連続動作は、終了する。
【０１１７】
なお、本発明は、このような遊技仕様であることに限定されるものではなく、様々な遊技仕様のパチンコ機でも実施可能である。例えば、遊技盤面に始動入賞口を設け、その始動入賞口に遊技球が入賞することで内部的に抽選が実行され、画像表示装置（ＬＥＤやＬＣＤ等）による画像演出によって抽選結果を報知し、当該抽選による当選が報知された場合には、通常遊技状態では常に閉止状態の大入賞口を開放し、遊技者に有利な特別遊技状態を付与するような遊技機において、その遊技盤面に設けられた前記始動入賞口を本発明の役物装置で構成するようにしてもよい。
【０１１８】
（特図Ｂ始動入賞口１０８Ｂの作用）
上記遊技仕様において、特図Ｂ始動入賞口１０８Ｂへの入賞が、所謂連荘への大きな要素となるため、この特図Ｂ始動入賞口１０８Ｂへの入賞の鍵を握る舌状可動片３００の位置、ならびに動作タイミングは非常に重要となる。
【０１１９】
例えば、従来は、このような舌状可動片３００を用いた入賞装置では、全突出状態で入賞可能、全引込状態で入賞不可であることは同じであるが、その動作途中、全吐出と全引込までの移動中は、あまり重要視されず、遊技球ＰＢの流動任せであった。従って、この移動の間は、入賞してしまう場合もあり、入賞しない場合もあるという、入賞率があいまいなものであった。この入賞装置が、単純に賞球払出のみであれば、それでも大きな問題にならないが、前述の遊技仕様のように、４回の特別遊技処理が発生するか否かがかかっているような場合には、遊技店との経営的なバランスも考慮する必要があるため、設計通りの入賞率を確保する必要がある。
【０１２０】
そこで、本実施の形態では、舌状可動片３００の上面、落下してくる遊技球ＰＢを受け止める面に単一の頂点３００Ａを形成し、山形形状とした。
【０１２１】
また、入賞開口端部３０２へ受け入れるための内側の２つの傾斜面３００Ｄ、３００Ｅの稜線３００Ｇを「下に凸」とすることで、この２つの傾斜面３００Ｄ、３００Ｅに対応する遊技球ＰＢを確実に入賞開口端部３０２へ受け入れることができる。
【０１２２】
頂点３００Ａは、舌状可動片３００が第１の位置に位置決めされたとき、遊技球ＰＢの中心が遊技盤１９から最も離れた位置となったときよりも、さらに遊技盤１９から離れた位置となるようにした。このため、舌状可動片３００が第１の位置にあるときは、落下してくる遊技球ＰＢのほとんどを入賞開口端部３０２へ受け入れることができる。
【０１２３】
一方、舌状可動片３００がこの第１の位置から第２の位置へ移動を開始した直後は、頂点３００Ａは、遊技球ＰＢの中心が遊技盤１９から最も離れた位置となったときよりも、遊技盤１９寄りとなる。このため、舌状可動片３００が第１の位置から移動を開始した直後から、落下してくる遊技球ＰＢのほとんどを入賞開口端部３０２へ受け入れない。
【０１２４】
従って、舌状可動片３００の第１の位置と第２の位置との間の移動量や移動速度等が、入賞開口端部３０２（特図Ｂ始動入賞口１０８Ｂ）への入賞率に関与することがなくなり、入賞率等の設計が容易となる。
【０１２５】
また、本実施の形態では、舌状可動片３００に加え、庇部３２４を舌状可動片３００の移動方向と逆方向に連動して移動するようにシーソー部材３２８によって互いに連結した。すなわち、舌状可動片３００が第１の位置にあるとき、庇部３２４は第４の位置となる（入賞を妨げない位置）、また、舌状可動片３００が第２の位置にあるとき、庇部３２４は第３の位置となる（入賞を妨げる位置）。この庇部３２４と、舌状可動片３００との連動により、舌状可動片３００における入賞の可否のさらに確実にすることができる。
【０１２６】
図９は舌状可動片３００が第１の位置にあるとき、並びに庇部３２４が第４の位置にあるときを示しており、（Ａ）はその平面図、（Ｂ）は遊技盤面方向を正面基準としたときの右側断面図、（Ｃ）は、図９（Ｂ)の右側断面図において、遊技球ＰＢの流動軌跡を付加したものである。
【０１２７】
この図９の状態では、遊技球ＰＢは、確実に頂点３００Ａよりも遊技盤１９寄りに当接し、入賞開口端部３０２に受け入れられ、特図Ｂ始動入賞口１０８Ｂへの入賞が可能な状態となる。
【０１２８】
図１０は舌状可動片３００が第１の位置から移動を開始した直後にあるとき、並びに庇部３２４が第４の位置から第３の位置へ移動し始めたときを示しており、（Ａ）はその平面図、（Ｂ）は遊技盤面方向を正面基準としたときの右側断面図、（Ｃ）は、図１０（Ｂ)の右側断面図において、遊技球ＰＢの流動軌跡を付加したものである。
【０１２９】
この図１０の状態では、遊技球ＰＢが、頂点３００Ａよりもカバー部材３０６寄りに当接するため、特図Ｂ始動入賞口１０８Ｂへの入賞が不可能な状態となる。仮に頂点３００Ａよりも遊技盤ＰＢ寄りに当接したとしても、庇部３２４により入賞開口端部３０２への受け入れが妨げられる。
【０１３０】
図１１は舌状可動片３００が第２の位置にあるとき、並びに庇部３２４が第３の位置にあるときを示しており、（Ａ）はその平面図、（Ｂ）は遊技盤面方向を正面基準としたときの右側断面図、（Ｃ）は、図１１（Ｂ)の右側断面図において、遊技球ＰＢの流動軌跡を付加したものである。
【０１３１】
この図１１の状態では、遊技球ＰＢが、入賞することなく流下（通過）する。仮に遊技盤ＰＢが入賞開口端部３０２に入賞しようとしても、庇部３２４により入賞開口端部３０２への受け入れが妨げられ、特図Ｂ始動入賞口１０８Ｂへの入賞が不可能な状態となる。
【０１３２】
参考として、図１２は、舌状可動片３００が引き込んだときの本実施の形態の役物装置（特図Ｂ始動入賞口１０８Ｂ）の６面図（正面図（Ａ)、上面図（Ｂ)、下面図（Ｃ)、右側面図（Ｄ)、左側面図（Ｅ)）並びに斜視図（Ｆ）である。
【０１３３】
図１３は、舌状可動片３００が突出したときの本実施の形態の役物装置（特図Ｂ始動入賞口１０８Ｂ）の６面図（正面図（Ａ)、上面図（Ｂ)、下面図（Ｃ)、右側面図（Ｄ)、左側面図（Ｅ)）並びに斜視図（Ｆ）である。
【０１３４】
図１４は、舌状可動片３００の単体の６面図（正面図（Ａ)、上面図（Ｂ)、下面図（Ｃ)、右側面図（Ｄ)、左側面図（Ｅ)）並びに斜視図（Ｆ）斜視図である。
【符号の説明】
【０１３５】
ＰＢ    遊技球
１０    パチンコ機
１８    遊技盤
１９    遊技領域
１９Ａ    貫通孔
１０５    センター役物
１０７    通過ゲート
１０８Ａ    特図Ａ始動入賞口
１０８Ｂ    特図Ｂ始動入賞口（役物装置）
１１０    大入賞口
１５０    主制御部（入賞拒否制御手段、入賞許可制御手段）
１５２    演出制御部
１５４    払出制御部
１５６    図柄制御部
１６０    払出装置
１６４    発射制御部
２６２    通過ゲートセンサ
２６４Ａ    特図Ａ始動口センサ
２６４Ｂ    特図Ｂ始動口センサ
２６６    大入賞口センサ
２６８    受入センサ
２７０    特定領域入賞センサ
２７２    外れセンサ
３００    舌状可動片（第１の可動体）
３０２    入賞開口端部
３０４    ベース部（入賞案内部材）
３０４Ａ    円筒部
３０６    カバー部材
３０６Ａ    表示レンズ部
３０８    駆動ユニット
３１０    フランジ部
３１２    ビス
３１４    入賞案内部
３１６    雌側突起部
３１８    円孔
３２０    雄側突起部
３２２    ビス
３２４    庇部（第２の可動体）
３２６    ソレノイド（第１の可動体移動手段、第２の可動体移動手段）
３２６Ａ    プランジャ
３２６Ｂ    圧縮コイルばね
３２６Ｃ    ソレノイド本体
３２８    シーソー部材
３３２    ブラケット
３３４    ビス
３００Ａ    頂点
３００Ｂ、３００Ｃ、３００Ｄ、３００Ｅ    傾斜面
【図１】
2010284362.tif 000003
【図２】
2010284362.tif 000004
【図３】
2010284362.tif 000005
【図４】
2010284362.tif 000006
【図５】
2010284362.tif 000007
【図６】
2010284362.tif 000008
【図７】
2010284362.tif 000009
【図８】
2010284362.tif 000010
【図９】
2010284362.tif 000011
【図１０】
2010284362.tif 000012
【図１１】
2010284362.tif 000013
【図１２】
2010284362.tif 000014
【図１３】
2010284362.tif 000015
【図１４】
2010284362.tif 000016